(57)【要約】【課題】貨幣処理装置において、収納された貨幣に関する異常の有無をより適切に判定可能にする。【解決手段】貨幣処理装置１は、収納された貨幣について、方向情報を含む収納貨幣データを記憶する記憶部３１０を備える。方向情報取得部２０，６２は、搬送される貨幣の方向情報を取得する。制御部３００は、搬送される貨幣について、収納貨幣データに含まれる方向情報と、方向情報取得部２０，６２によって取得された方向情報とを比較し、この方向情報の比較結果を用いて、当該貨幣に関する異常の有無を判定する。【選択図】図３
2019049791.tif 000002
【特許請求の範囲】
【請求項１】
貨幣処理装置であって、
貨幣を収納する収納部と、
前記収納部から送り出された貨幣を搬送する搬送部と、
前記収納部に収納された貨幣について、方向情報を含む収納貨幣データを記憶する記憶部と、
前記収納部から送り出されて搬送される貨幣の、方向情報を取得する方向情報取得部と、
前記貨幣処理装置の動作を制御する制御部とを備え、
前記制御部は、前記収納部から送り出されて搬送される貨幣について、前記収納貨幣データに含まれる方向情報と、前記方向情報取得部によって取得された方向情報とを比較し、この方向情報の比較結果を用いて、当該貨幣に関する異常の有無を判定する
ことを特徴とする貨幣処理装置。
【請求項２】
請求項１記載の貨幣処理装置において、
前記収納部から送り出されて搬送される貨幣の、固有番号情報を取得する固有番号情報取得部を備え、
前記収納貨幣データは、前記収納部に収納された貨幣の固有番号情報を含み、
前記制御部は、前記収納部から送り出されて搬送される貨幣について、前記収納貨幣データに含まれる固有番号情報と、前記固有番号情報取得部によって取得された固有番号情報とを比較し、この固有番号情報の比較結果と、方向情報の比較結果とを用いて、当該貨幣に関する異常の有無を判定する
ことを特徴とする貨幣処理装置。
【請求項３】
請求項２記載の貨幣処理装置において、
前記制御部は、前記収納部から送り出されて搬送される貨幣について、前記収納貨幣データに固有番号情報が含まれていない場合、または、前記固有番号情報取得部によって固有番号情報が取得できない場合に、方向情報の比較結果のみを用いて、当該貨幣に関する異常の有無を判定する
ことを特徴とする貨幣処理装置。
【請求項４】
請求項３記載の貨幣処理装置において、
前記制御部は、方向情報の比較結果のみを用いる判定について、回数または頻度の上限を設定している
ことを特徴とする貨幣処理装置。
【請求項５】
請求項１〜４のうちいずれか１項記載の貨幣処理装置において、
前記制御部は、異常有りと判定したとき、異常有りと判定した旨を、外部装置に通知する
ことを特徴とする貨幣処理装置。
【請求項６】
請求項１〜４のうちいずれか１項記載の貨幣処理装置において、
前記制御部は、異常有りと判定したとき、前記貨幣処理装置の動作を停止する
ことを特徴とする貨幣処理装置。
【請求項７】
請求項１〜４のうちいずれか１項記載の貨幣処理装置において、
異常な貨幣を保持する異常貨幣保持部を備え、
前記制御部は、異常有りと判定したとき、前記搬送部に、当該貨幣を、前記異常貨幣保持部に搬送させる
ことを特徴とする貨幣処理装置。
【請求項８】
請求項１記載の貨幣処理装置において、
貨幣は、束紙幣であり、
貨幣の方向情報として、束紙幣の最上位または最下位紙幣の方向情報を用いる
ことを特徴とする貨幣処理装置。
【発明の詳細な説明】
【技術分野】
【０００１】
ここに開示する技術は、収納された貨幣の異常判定を行う機能を有する貨幣処理装置に関する。
【背景技術】
【０００２】
特許文献１には、紙幣の入出金を行う自動取引装置が開示されている。この装置では、入金時や補充時に紙幣の記番号を読み取り、収納紙幣の記番号リストを生成する。そして、出金時に、紙幣から読み取った記番号が記番号リストと一致するか否かを確認し、一致しない場合は、出金処理の停止等の異常対応処理をとる。
【先行技術文献】
【特許文献】
【０００３】
【特許文献１】特開２０１６−０８５５６９号公報
【発明の概要】
【発明が解決しようとする課題】
【０００４】
特許文献１の構成では、記番号を用いて紙幣の異常判定を行う。ところが、センサの精度の低さや対象紙幣の汚れ等に起因して、記番号の読み取りは必ずしも正確に行われるとはいえない。また、センサが片面読み取り機能しか有しない場合は、紙幣が裏向きのとき記番号を読み取れない。このため、記番号の不一致による異常判定が実際以上に発生してしまい、異常対応処理が起こりやすい、という問題がある。
【０００５】
また、束紙幣を扱う貨幣処理装置に適用することが困難である。すなわち、束紙幣では、最上位または最下位の紙幣の向きが固定されていないため、その記番号を読み取れないことが多い。このため、記番号を用いた判定処理は、束紙幣処理への適用が難しいといえる。
【０００６】
ここに開示する技術は、かかる点に鑑みてなされたものであり、貨幣処理装置において、収納された貨幣に関する異常の有無を、より適切に判定可能にすることを目的とする。
【課題を解決するための手段】
【０００７】
ここに開示する技術は、貨幣処理装置であって、貨幣を収納する収納部と、前記収納部から送り出された貨幣を搬送する搬送部と、前記収納部に収納された貨幣について、方向情報を含む収納貨幣データを記憶する記憶部と、前記収納部から送り出されて搬送される貨幣の、方向情報を取得する方向情報取得部と、前記貨幣処理装置の動作を制御する制御部とを備え、前記制御部は、前記収納部から送り出されて搬送される貨幣について、前記収納貨幣データに含まれる方向情報と、前記方向情報取得部によって取得された方向情報とを比較し、この方向情報の比較結果を用いて、当該貨幣に関する異常の有無を判定する。
【０００８】
この構成によると、貨幣処理装置において、記憶部は、収納部に収納された貨幣の収納貨幣データを記憶しており、この収納貨幣データは貨幣の方向情報を含む。そして制御部は、搬送される貨幣について、収納貨幣データに含まれる方向情報と、方向情報取得部によって取得された方向情報とを比較し、この方向情報の比較結果を用いて、当該貨幣に関する異常の有無を判定する。すなわち、貨幣処理装置において、収納された貨幣に関する異常の有無を、その方向情報を用いて、判定することができる。これにより、例えば、記番号読み取りが困難な場合であっても、あるいは、記番号を用いた判定処理の適用が困難な束紙幣を対象にした場合であっても、適切に、貨幣に関する異常の有無を判定することができる。
【０００９】
そして、上述の貨幣処理装置において、前記収納部から送り出されて搬送される貨幣の、固有番号情報を取得する固有番号情報取得部を備え、前記収納貨幣データは、前記収納部に収納された貨幣の固有番号情報を含み、前記制御部は、前記収納部から送り出されて搬送される貨幣について、前記収納貨幣データに含まれる固有番号情報と、前記固有番号情報取得部によって取得された固有番号情報とを比較し、この固有番号情報の比較結果と、方向情報の比較結果とを用いて、当該貨幣に関する異常の有無を判定する、としてもよい。
【００１０】
これにより、貨幣処理装置において、収納された貨幣に関する異常の有無が、その方向情報と、固有番号情報とを用いて、判定される。したがって、収納された貨幣に関する異常の有無を、より適切に判定することができる。
【００１１】
さらに、前記制御部は、前記収納部から送り出されて搬送される貨幣について、前記収納貨幣データに固有番号情報が含まれていない場合、または、前記固有番号情報取得部によって固有番号情報が取得できない場合に、方向情報の比較結果のみを用いて、当該貨幣に関する異常の有無を判定する、としてもよい。
【００１２】
これにより、固有番号情報の比較ができない場合であっても、方向情報の比較によって、収納された貨幣に関する異常の有無を判定することができる。
【００１３】
さらに、前記制御部は、方向情報の比較結果のみを用いる判定について、回数または頻度の上限を設定している、としてもよい。
【００１４】
これにより、固有番号情報を比較しない判定が多発することを抑制することができる。
【００１５】
また、前記制御部は、異常有りと判定したとき、異常有りと判定した旨を、外部装置に通知する、としてもよい。
【００１６】
これにより、貨幣に関する異常有と判定されたとき、貨幣処理装置から外部装置に通知がなされる。
【００１７】
また、前記制御部は、異常有りと判定したとき、前記貨幣処理装置の動作を停止する、としてもよい。
【００１８】
これにより、貨幣に関する異常有と判定されたとき、貨幣処理装置の動作が停止する。
【００１９】
また、上述の貨幣処理装置において、異常な貨幣を保持する異常貨幣保持部を備え、前記制御部は、異常有りと判定したとき、前記搬送部に、当該貨幣を、前記異常貨幣保持部に搬送させる、としてもよい。
【００２０】
これにより、貨幣に関する異常有と判定されたとき、当該貨幣の搬送先が異常貨幣保持部に変更される。
【００２１】
また、貨幣は、束紙幣であり、貨幣の方向情報として、束紙幣の最上位または最下位紙幣の方向情報を用いる、としてもよい。
【００２２】
これにより、束紙幣を処理する貨幣処理装置において、束紙幣の最上位または最下位紙幣の方向情報を用いて、当該束紙幣に関する異常の有無が判定される。
【発明の効果】
【００２３】
本開示によると、貨幣処理装置において、収納された貨幣に関する異常の有無が、貨幣の方向情報を用いて、より適切に判定される。
【図面の簡単な説明】
【００２４】
【図１】実施形態に係る貨幣処理装置の全体構成例
【図２】実施形態に係る紙幣処理機の内部構成図
【図３】実施形態に係る貨幣処理装置の機能構成を示すブロック図
【図４】紙幣の方向情報の例
【図５】方向情報を用いた判定基準の例
【図６】（ａ）〜（ｃ）はバラ紙幣の処理の例を示すイメージ図
【図７】バラ紙幣の収納紙幣データの例
【図８】バラ紙幣における出金紙幣データと収納紙幣データの比較のイメージ図
【図９】（ａ）（ｂ）は束紙幣の処理の例を示すイメージ図
【図１０】束紙幣の収納紙幣データの例
【図１１】束紙幣における出金紙幣データと収納紙幣データの比較のイメージ図
【図１２】他の実施形態における処理のイメージ図
【発明を実施するための形態】
【００２５】
以下、実施形態について、図面に基づいて詳細に説明する。
【００２６】
（貨幣処理装置の構成）
図１は実施形態に係る貨幣処理装置の外観を示す斜視図である。図１に示すように、貨幣処理装置１は、紙幣処理機１０および硬貨処理機１１０が左右に並ぶよう配置されることにより構成されている。紙幣処理機１０は、バラ紙幣の入出金処理を実行可能であり、また、帯封紙幣（束紙幣ともいう）の作成や、帯封紙幣の出金処理を実行可能である。帯封紙幣は、所定枚数（例えば１００枚）のバラ紙幣から作成される。硬貨処理機１１０は、バラ硬貨の入出金処理を実行可能であり、また、包装硬貨の作成や、包装硬貨の出金処理を実行可能である。包装硬貨は、所定枚数（例えば５０枚）のバラ硬貨に紙やフィルム等の包装媒体を巻くことによって作成される。
【００２７】
操作表示部３０２は、例えば硬貨処理機１１０の筐体１１２の上部に設けられたタッチパネル等からなり、貨幣処理装置１における紙幣や硬貨の処理状況や、貨幣処理装置１に収納されている紙幣や硬貨の在高等の情報を表示する。また、操作者はこの操作表示部３０２を介して、様々な操作を行うことができる。印字部３０４は、貨幣処理装置１における紙幣や硬貨の処理状況や、貨幣処理装置１に収納されている紙幣や硬貨の在高等の情報をレシート等に印刷するプリンタ等から構成されている。このような貨幣処理装置１は、例えば銀行等の金融機関に設置され、金融機関の行員等により利用される。
【００２８】
図２は紙幣処理機１０の内部構成を概略的に示す構成図である。図２において、左側が紙幣処理機１０の前面側であり、左右方向が紙幣処理機１０の奥行き方向である。図１および図２を用いて、紙幣処理機１０の構成について説明する。なお、硬貨処理機１１０に関しては、その構成の詳細については説明を省略する。
【００２９】
図１および図２に示すように、紙幣処理機１０は略直方体形状の筐体１２を有しており、この筐体１２の前面には、バラ紙幣を入金するための投入部１４、バラ紙幣を出金するためのバラ紙幣投出部２４、および、帯封紙幣を出金するための帯封紙幣投出部４８がそれぞれ設けられている。投入部１４の前面は筐体１２の外部に開口しており、操作者は投入部１４の内部にバラ紙幣の束を投入することができる。一方、バラ紙幣投出部２４および帯封紙幣投出部４８にはそれぞれシャッター２４ａ，４８ａが設けられている。シャッター２４ａ，４８ａは後述するシャッター駆動部２４ｂ，４８ｂによりそれぞれ駆動される。シャッター２４ａ，４８ａによりバラ紙幣投出部２４や帯封紙幣投出部４８が開口されると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【００３０】
また、バラ紙幣投出部２４の下方には、バラ紙幣の出金処理において、バラ紙幣投出部２４から出金すべきではないと判断されたバラ紙幣が集積される出金リジェクト部２６が設けられている。出金リジェクト部２６の前面は筐体１２の外部に開口しておらず、所定の権限を有する操作者のみが前カバーを開放してアクセスすることができる。
【００３１】
図２に示すように、投入部１４には、投入されたバラ紙幣を１枚ずつ繰り出すための繰出部１６が設けられている。繰出部１６により投入部１４から繰り出されたバラ紙幣は、搬送部１８により筐体１２内で搬送される。
【００３２】
搬送部１８には識別部２０が設けられている。識別部２０は、搬送されるバラ紙幣について、その金種、真偽、正損、新旧、搬送状態等を識別する。また、識別部２０は、搬送される紙幣の記番号を読み取り可能に構成されている。さらに、識別部２０は、搬送される紙幣の搬送方向に対する向きと、表裏を識別可能に構成されている。
【００３３】
また、搬送部１８には表裏反転部２２が設けられている。表裏反転部２２は、後述する制御部３００による制御に従って、搬送される紙幣の表裏を反転させる。表裏判定部２２の動作によって、例えば、識別部２０によるバラ紙幣の表裏の識別結果を基にして、全ての紙幣の表裏を揃えることができる。また、制御部３００は、表裏反転部２２を動作させないよう制御することも可能である。
【００３４】
搬送部１８には、入金一時保留部３０、混合バラ紙幣収納部３２および複数（図２では３つ）の金種別バラ紙幣収納部３４がそれぞれ接続されている。入金一時保留部３０、混合バラ紙幣収納部３２および各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、混合バラ紙幣収納部３２には、各金種別バラ紙幣収納部３４に割り当てられていない金種のバラ紙幣や損券、オーバーフロー紙幣等が混合状態で収納される。また、各金種別バラ紙幣収納部３４には、それぞれ予め設定された特定の金種のバラ紙幣が収納される。
【００３５】
入金一時保留部３０の上端部の近傍には紙幣繰出繰入部３０ｂが設けられており、バラ紙幣は紙幣繰出繰入部３０ｂにより、入金一時保留部３０から１枚ずつ搬送部１８に繰り出され、また、搬送部１８から入金一時保留部３０に１枚ずつ繰り入れられる。混合バラ紙幣収納部３２の上端部の近傍には紙幣繰入部３２ｂが設けられており、バラ紙幣は紙幣繰入部３２ｂにより、混合バラ紙幣収納部３２から１枚ずつ搬送部１８に繰り出され、また、搬送部１８から混合バラ紙幣収納部３２に１枚ずつ繰り入れられる。各金種別バラ紙幣収納部３４の上端部の近傍にはそれぞれ紙幣繰出繰入部３４ｂが設けられており、バラ紙幣は紙幣繰出繰入部３４ｂにより、各金種別バラ紙幣収納部３４から１枚ずつ搬送部１８に繰り出され、また、搬送部１８から各金種別バラ紙幣収納部３４に１枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣投出部２４に送られる。
【００３６】
筐体１２の下部には下部扉１２ａが設けられており、操作者は、下部扉１２ａを開くことにより入金一時保留部３０の内部にアクセスできる。また、入金一時保留部３０、混合バラ紙幣収納部３２および各金種別バラ紙幣収納部３４は、手前側に（図２における左方向に）引き出し可能となっている引出ユニット１３に収容されている。操作者は、下部扉１２ａを開いて引出ユニット１３を手前側に引き出し、混合バラ紙幣収納部３２や各金種別バラ紙幣収納部３４を引出ユニット１３から取り外したり、引出ユニット１３に装着したりできる。
【００３７】
また、搬送部１８には複数（図２では２つ）の整理一時保留部４０が接続されており、搬送部１８から送られたバラ紙幣は、整理一時保留部４０に積層状態で集積される。整理一時保留部４０には、集積されているバラ紙幣を搬送部１８に１枚ずつ繰り出す繰出部が設けられていてもよい。また、所定枚数（例えば１００枚）のバラ紙幣からなる紙幣束に帯封紙を巻くことにより帯封紙幣を作成する帯封部４２が、整理一時保留部４０の隣に設けられている。帯封部４２の近傍にはアーム機構４４が設けられている。アーム機構４４は、整理一時保留部４０、帯封部４２および帯封紙幣揚送部４６の間で移動可能となっている。帯封紙幣揚送部４６には、図２における上下方向に移動可能となっているステージ４６ａが設けられている。帯封部４２およびアーム機構４４によって、紙幣結束機構が構成されている。
【００３８】
帯封処理が行われる際に、アーム機構４４は、整理一時保留部４０に集積された所定枚数のバラ紙幣を上下一対のアーム部により保持して、帯封部４２に移動する。帯封部４２において、アーム機構４４に保持された所定枚数のバラ紙幣の外周面に帯封紙が巻かれ、帯封紙幣が生成される。帯封処理が行われた後、アーム機構４４は帯封部４２から帯封紙幣揚送部４６に移動して、ステージ４６ａ上に帯封紙幣を受け渡す。このような動作を繰り返すことにより、複数の帯封紙幣を帯封紙幣揚送部４６のステージ４６ａ上に集積させる。
【００３９】
そして、アーム機構４４からステージ４６ａ上に１または複数の帯封紙幣が受け渡された後、ステージ４６ａが上方向に移動して帯封紙幣投出部４８の下端と同じレベルに達する。この状態でシャッター４８ａが開くと、操作者は帯封紙幣投出部４８の内部にアクセスしてステージ４６ａ上に集積されている帯封紙幣を取り出すことができる。また、ステージ４６ａがさらに上昇すると、ステージ４６ａ上に集積されている帯封紙幣を帯封紙幣搬送部６０に受け渡したり、帯封紙幣搬送部６０から帯封紙幣をステージ４６ａ上に集積させたりできる。
【００４０】
筐体１２の内部における上部領域には、複数（図２では４つ）の帯封紙幣収納部７０が設けられている。各帯封紙幣収納部７０の内部にはそれぞれ、上下方向に移動可能であるステージ７０ａが設けられている。帯封部４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも１つは、金種が異なる帯封紙幣を混合状態で収納するようにしてもよい。
【００４１】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。
【００４２】
また、帯封紙幣揚送部４６の上端と帯封紙幣収納部７０との間に、識別部６２が設けられている。識別部６２は、搬送される帯封紙幣の金種を、例えばその最下位の紙幣の撮像画像から識別する。識別部６２はまた、帯封紙幣の紙幣や結束帯の状態、例えば破れや汚れの有無等を識別する。また、識別部６２は、搬送される帯封紙幣の最下位紙幣の記番号を読み取り可能に構成されている。さらに、識別部６２は、搬送される紙幣の最下位紙幣の搬送方向に対する向きと、表裏を識別可能に構成されている。
【００４３】
なお、図２の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上位の紙幣の撮像画像から識別する。またこの場合、識別部６２は、搬送される帯封紙幣の最上位紙幣について、記番号を読み取り、搬送方向に対する向きと表裏を識別する。
【００４４】
ここで、帯封部４２により作成された帯封紙幣を各帯封紙幣収納部７０に収納させる際には、帯封紙幣は、アーム機構４４から帯封紙幣揚送部４６のステージ４６ａ上に受け渡された後に、ステージ４６ａの上昇によって帯封紙幣搬送部６０の近傍の位置まで達する。循環ベルト６０ｂは反時計回りの方向に循環移動する。これにより、ステージ４６ａ上の帯封紙幣は突起６０ａに引っ掛けられて、循環ベルト６０ｂの下面に沿って右方向に搬送され、識別部６２によりその金種が判別された後、識別部６２による識別結果に基づいて、対応する帯封紙幣収納部７０に収納される。
【００４５】
一方、帯封紙幣収納部７０に収納されている帯封紙幣を出金する際には、循環ベルト６０ｂは時計回りの方向に循環移動する。帯封紙幣収納部７０から上方に押し出された最上位の帯封紙幣が突起６０ａにより引っ掛けられて循環ベルト６０ｂの下面に沿って左方向に搬送される。また、ステージ４６ａが上昇して帯封紙幣搬送部６０の近傍の位置まで達する。そして、搬送される帯封紙幣は、その金種が識別部６２により識別された後、上方位置で待機していたステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定数の帯封紙幣が集積されると、当該ステージ４６ａが帯封紙幣投出部４８の下端と同じレベルまで下降し、シャッター４８ａが開く。これにより、操作者は帯封紙幣投出部４８から帯封紙幣を取り出すことができる。
【００４６】
図３は貨幣処理装置１の機能構成の概略を示すブロック図である。図３に示すように、貨幣処理装置１には、各構成要素の制御を行う制御部３００が設けられている。制御部３００には、紙幣処理機１０の構成要素、具体的には、投入部１４、繰出部１６、搬送部１８、識別部２０、表裏反転部２２、入金一時保留部３０（ステージ３０ａの駆動機構や紙幣繰出繰入部３０ｂ）、混合バラ紙幣収納部３２（ステージ３２ａの駆動機構や紙幣繰入部３２ｂ）、金種別バラ紙幣収納部３４（ステージ３４ａの駆動機構や紙幣繰出繰入部３４ｂ）、帯封部４２、アーム機構４４、帯封紙幣揚送部４６、帯封紙幣搬送部６０、識別部６２、帯封紙幣収納部７０（ステージ７０ａの駆動機構）、シャッター２４ａ，４８ａを開閉させるシャッター駆動部２４ｂ，４８ｂ等がそれぞれ接続されている。そして、制御部３００は、識別部２０によるバラ紙幣の識別結果に係る情報や識別部６２による帯封紙幣の金種の判別結果に係る情報等を受け、また、紙幣処理機１０の各構成要素に指令信号を送ることによりその動作を制御する。
【００４７】
また、制御部３００には、硬貨処理機１１０の各構成要素が接続されており、硬貨処理機１１０の動作を制御する。さらに、制御部３００には、操作表示部３０２、印字部３０４、記憶部３１０および通信インターフェース部３０６がそれぞれ接続されている。記憶部３１０は、貨幣処理装置１における処理履歴や、貨幣処理装置１に収納されている紙幣や硬貨の在高等の情報を記憶する。また、制御部３００は通信インターフェース部３０６を介して上位端末等の外部装置に対して様々な信号の送受信を行うことができる。
【００４８】
本実施形態では、記憶部３１０には、各収納部３２，３４，７０に収納された紙幣の情報である収納紙幣データを格納する収納紙幣データベース（ＤＢ）３１１が設けられている。収納紙幣データは、各収納部３２，３４，７０に収納された紙幣について、少なくとも、後述する方向情報と、記番号情報とを含む。そして、制御部３００は、収納紙幣ＤＢ３１１に格納された収納紙幣データを用いて、搬送される紙幣に関する異常の有無を判定する紙幣判定処理を実行する。
【００４９】
（方向情報と判定基準）
本実施形態では、収納紙幣データに含まれる方向情報は、搬送方向に対する紙幣の向きと、紙幣の表裏との組み合わせを示すものとする。例えば、図４に示すように、本実施形態では紙幣は短手方向に搬送されるものとし、Ａ方向（上向き＆表）、Ｂ方向（下向き＆表）、Ｃ方向（下向き＆裏）、Ｄ方向（上向き＆裏）の４パターンを、方向情報として管理する。なお、紙幣は長手方向に搬送されるものとしてもよい。この場合にも、搬送方向に対する紙幣の向きと、紙幣の表裏との組み合わせを、方向情報として管理すればよい。
【００５０】
また、本実施形態では、方向情報と記番号情報の両方を用いて、紙幣判定処理を行うものとする。例えば、図５に示すような判定基準を用いる。すなわち、紙幣搬送時に認識された記番号情報が、収納紙幣データに含まれる記番号情報と一致する場合は、紙幣搬送時に認識された方向情報が、収納紙幣データに含まれる方向情報と一致するときはＯＫとし、一致しないときはＮＧとする。紙幣搬送時に認識された記番号情報が、収納紙幣データに含まれる記番号情報と一致しない場合は、方向情報の一致、不一致にかかわらず、ＮＧとする。また、紙幣搬送時に記番号情報が認識できないとき、あるいは、収納紙幣データに記番号情報が含まれていないときは（不読）、紙幣搬送時に認識された方向情報が、収納紙幣データに含まれる方向情報と一致するときはＯＫとし、一致しないときはＮＧとする。
【００５１】
また、束紙幣を搬送する場合は、その束紙幣の最上位または最下位紙幣の方向情報を、その束紙幣の方向情報として用いるものとする。また、記番号情報に関しても、その束紙幣の最上位または最下位紙幣の記番号情報を、その束紙幣の記番号情報として用いるものとする。
【００５２】
なお、収納紙幣データは、本開示における収納貨幣データの一例であり、記番号情報は、本開示における貨幣の固有番号情報の一例である。また、識別部２０，６２は、本開示における方向情報取得部および固有番号情報取得部の一例である。
【００５３】
（バラ紙幣の処理の例）
図６はバラ紙幣の処理の例を示すイメージ図である。なお、ここでは、表裏反転部２２は、紙幣の表裏反転を行わないものとする。図６（ａ）に示すように、制御部３００は、投入部１４からバラ紙幣を一枚ずつ繰り出し、識別部２０によって金種、真偽、正損を識別する。識別の結果から、問題がないバラ紙幣は入金一時保留部３０に搬送される。一方、対象外金種のバラ紙幣や識別不能のバラ紙幣は、入金リジェクト部として機能するバラ紙幣投出部２４へ搬送される。このような動作を、投入部１４に投入された全てのバラ紙幣について、実行する。
【００５４】
次に、図６（ｂ）に示すように、制御部３００は、入金一時保留部３０からバラ紙幣を一枚ずつ繰り出し、その金種に応じて、混合バラ紙幣収納部３２および３個の金種別バラ紙幣収納部３４のいずれかに振り分ける。このとき、識別部２０によって、搬送される各バラ紙幣の金種情報等に加えて、記番号情報と方向情報を取得する。制御部３００は、取得した記番号情報および方向情報を含む収納紙幣データを、収納部別に生成し、記憶部３１０の収納紙幣ＤＢ３１１に格納する。
【００５５】
図７は生成された収納紙幣データの一例である。図７の例では、金種別バラ紙幣収納部３４の１つである収納部（１）には、千円紙幣が収納されており、金種別バラ紙幣収納部３４の１つである収納部（２）には、５千円紙幣が収納されている。そして、収納紙幣データとして、収納部（１）（２）について、収納された紙幣の記番号情報と方向情報のリストがそれぞれ生成されている。なお、このリストでは、識別部２０によって記番号情報が読み取れなかった紙幣に関しては、記番号情報として、「不読」を意味するデータが格納されている。
【００５６】
その後、バラ紙幣を出金する場合には、図６（ｃ）に示すように、制御部３００は、収納部としての金種別バラ紙幣収納部３４からバラ紙幣を一枚ずつ繰り出し、バラ紙幣投出部２４へ搬送する。このとき、識別部２０は、紙幣の金種／真偽／正損を識別し、識別の結果から、対象外金種のバラ紙幣や識別不能のバラ紙幣は、出金リジェクト部２６へ搬送される。
【００５７】
また、識別部２０は、搬送されるバラ紙幣の記番号情報と方向情報を取得する。制御部３００は、図８に示すように、出金する紙幣について取得した記番号情報および方向情報を、記憶部３１０の収納紙幣ＤＢ３１１に格納された収納紙幣データに含まれる記番号情報および方向情報と、それぞれ比較する。そして、例えば図５に示す判定基準に従って、当該バラ紙幣に関する異常の有無を判定する。制御部３００は、図５の判定基準でＮＧとなったとき、すなわち、当該バラ紙幣に関して異常有りと判定したとき、その旨を、通信インターフェース部３０６を介して、上位端末等の外部装置に通知する。ここでの外部装置は、例えば、金融機関の同一行内に設置された管理者用端末であってもよいし、あるいは、貨幣処理装置１が設置された支店を監督する本店の管理コンピュータであってもよい。ただし、当該バラ紙幣の出金処理は、通常どおりに実行するものとする。
【００５８】
（束紙幣の処理）
図９は束紙幣の処理の例を示すイメージ図である。図９（ａ）に示すように、制御部３００は、金種別バラ紙幣収納部３４（ここでは千円札を収納する収納部（１））に収納された紙幣を繰り出し、整理一時保留部４０に搬送し集積させる。整理一時保留部４０にバラ紙幣が所定枚数集積されると、制御部３００は、帯封部４２により結束して帯封紙幣を作成する。そして作成した帯封紙幣を帯封紙幣揚送部４６によって揚送し、帯封紙幣収納部７０（ここでは千円札束を収納する束収納部（２））に収納する。
【００５９】
このとき、識別部６２は、搬送される帯封紙幣の金種や結束状態のチェックを行う。加えて、識別部６２は、搬送される帯封紙幣について、その最下位紙幣の記番号情報と方向情報とを取得する。制御部３００は、取得した記番号情報および方向情報を含む収納紙幣データを、収納部別に生成し、記憶部３１０の収納紙幣ＤＢ３１１に格納する。
【００６０】
図１０は生成された収納紙幣データの一例である。図１０の例では、帯封紙幣収納部７０の１つである束収納部（２）には、千円札束が収納されており、収納紙幣データとして、収納された束紙幣における最下位紙幣の記番号情報と方向情報のリストが生成されている。また、このリストでは、識別部６２によって最下位紙幣の記番号情報が読み取れなかった束紙幣に関しては、記番号情報として、「不読」を意味するデータが格納されている。
【００６１】
その後、束紙幣を出金する場合には、図９（ｂ）に示すように、制御部３００は、収納部としての帯封紙幣収納部７０（束紙幣部（２））から帯封紙幣を繰り出し、帯封紙幣投出部４８へ搬送する。このとき、識別部６２は、搬送される帯封紙幣の金種や結束状態のチェックを行う。加えて、識別部６２は、搬送される帯封紙幣について、その最下位紙幣の記番号情報と方向情報とを取得する。
【００６２】
制御部３００は、図１１に示すように、出金する帯封紙幣について取得した最下位紙幣の記番号情報および方向情報を、記憶部３１０の収納紙幣ＤＢ３１１に格納された収納紙幣データに含まれる記番号情報および方向情報と、比較する。そして、例えば図５に示す判定基準に従って、当該帯封紙幣に関する異常の有無を判定する。制御部３００は、図５の判定基準でＮＧとなったとき、すなわち、当該帯封紙幣に関して異常有りと判定したとき、その旨を、通信インターフェース部３０６を介して、上位端末等の外部装置に通知する。ここでの外部装置は、例えば、同一行内に設置された管理者用端末であってもよいし、あるいは、貨幣処理装置１が設置された支店を監督する本店の管理コンピュータであってもよい。ただし、当該束紙幣の出金処理は、通常どおりに実行するものとする。
【００６３】
以上のように本実施形態によると、貨幣処理装置１において、記憶部３１０は、収納部３２，７０に収納された紙幣の収納紙幣データを記憶しており、この収納紙幣データは紙幣の方向情報を含む。そして制御部３００は、搬送される紙幣について、収納紙幣データに含まれる方向情報と、方向情報取得部２０，６２によって取得された方向情報とを比較し、この方向情報の比較結果を用いて、当該紙幣に関する異常の有無を判定する。すなわち、貨幣処理装置１において、収納された紙幣に関する異常の有無を、その方向情報を用いて、判定することができる。これにより、例えば、記番号読み取りが困難な場合であっても、あるいは、記番号を用いた判定処理の適用が困難な束紙幣を対象にした場合であっても、適切に、貨幣に関する異常の有無を判定することができる。
【００６４】
＜他の処理＞
（その１）
上の実施形態では、出金するバラ紙幣や帯封紙幣に関して異常有りと判定したとき、制御部３００は、その旨を外部装置に通知するものとしたが、これとともに、あるいは、これに代えて、貨幣処理装置１からその場で警告を報知するようにしてもよい。警告の報知の手法としては、例えば、操作表示部３０２に警告メッセージを表示してもよいし、音声出力を用いてもよい。
【００６５】
また、制御部３００は、異常有りと判定した旨を外部装置に通知する際に、他の情報を併せて送信してもよい。他の情報としては例えば、日時情報、装置ＩＤ、操作者ＩＤ、取引内容等がある。また、制御部３００は、取得した記番号情報および方向情報を外部装置に通知し、外部装置が異常の有無を判定するようにしてもよい。
【００６６】
また、制御部３００は、出金するバラ紙幣や帯封紙幣に関して異常有りと判定したとき、貨幣処理装置１の動作を停止するようにしてもよい。すなわち、不正が行われた可能性があるとして、貨幣処理装置１を停止し、管理者による状況確認や精査を行う。
【００６７】
また、制御部３００は、出金するバラ紙幣や帯封紙幣に関して異常有りと判定したとき、当該バラ紙幣や帯封紙幣の搬送先を変更してもよい。例えば図６（ｃ）の場合において、出金するバラ紙幣に関して、記番号情報および方向情報から異常有りと判定したとき、異常貨幣保持部としての出金リジェクト部２６に、当該バラ紙幣を搬送させてもよい。
【００６８】
（その２）
上の実施形態では、バラ紙幣に関する収納紙幣データは、バラ紙幣を混合バラ紙幣収納部３２および金種別バラ紙幣収納部３４に収納する際に生成するものとし、束紙幣に関する収納紙幣データは、束紙幣を帯封紙幣収納部７０に収納する際に生成するものとした。ただし、収納紙幣データの生成は、例えば装填処理時に行ってもよい。すなわち、収納部への手装填が行われた場合は、機内循環を行って、収納紙幣データを生成する。例えば、バラ紙幣が金種別バラ紙幣収納部３４に手装填された場合は、金種別バラ紙幣収納部３４→一時保留部３０→金種別バラ紙幣収納部３４、という機内循環を行い、識別部２０によってバラ紙幣の記番号情報および方向情報を取得する。また、束紙幣が帯封紙幣収納部７０に手装填された場合は、帯封紙幣収納部７０→揚送部４６→帯封紙幣収納部７０、という機内循環を行い、識別部６２によって束紙幣における最下位紙幣の記番号情報および方向情報を取得する。
【００６９】
（その３）
機内の紙幣に人手が触れた可能性があると判断された場合（例えば、ユニットが引き出される、収納部が開閉される、等）に、機内精査を実行し、紙幣の過不足をチェックするとともに、機内の紙幣の記番号情報および方向情報が、収納紙幣ＤＢ３１１に格納された収納紙幣データと一致していることを確認してもよい。もし、一致しない紙幣があるときは、上の実施形態と同様に、例えば上位端末等の外部装置に通知する。
【００７０】
（その４）
上の実施形態では、図５に示す判定基準に基づいて、バラ紙幣または束紙幣に関する異常の有無を判定するものとしたが、本開示における判定基準は図５に示すものに限られるものではない。例えば、記番号情報が一致する場合は、方向情報の一致／不一致に関わらず、ＯＫと判定してもよい。
【００７１】
また、上の実施形態では、方向情報を記番号情報と併せて用いて判定を行うものとしたが、記番号情報を用いないで、方向情報のみを用いて、判定を行ってもかまわない。
【００７２】
（その５）
上の実施形態では、バラ紙幣の出金処理や束紙幣の出金処理において、異常の有無を判定するものとしたが、紙幣判定処理を行うタイミングはこれに限られるものではない。すなわち、収納された紙幣について収納紙幣データが記憶されており、紙幣を搬送する際にその方向情報を取得できる場合には、上の実施形態と同様に、当該紙幣に関する異常の有無を判定すればよい。
【００７３】
（その６）
上の実施形態では、記番号情報が取得できない場合（不読）、方向情報のみによる判定が行われる。ここで、方向情報のチェックを記番号情報のチェックの補助機能と考えた場合には、方向情報のみによる判定をあまり多くの紙幣について行うことは必ずしも好ましくない。そこで、方向情報のみによる判定に対し、その回数または頻度について上限を設定してもよい。
【００７４】
例えば、識別部が、紙幣の表裏に関係なく記番号を読み取り可能な構成である場合に、方向情報のみによる判定の上限として、「１０％」を設定する。そして、紙幣１００枚を判定した結果、「記番号が読み取れずに方向情報のみに基づいてＯＫと判定した紙幣」が１０枚を超えたとき、上限を超えたとして装置を停止する。この場合は、識別部のセンサに汚れや不具合が生じている可能性が高いと考えられるため、例えば操作表示部に、識別部のチェックを促すメッセージを表示すればよい。
【００７５】
（他の実施例）
１回の読み取り処理で記番号を確定できない場合に、２回目の読み取り結果を踏まえて、記番号を確定するようにしてもよい。
【００７６】
図１２は本実施例における処理のイメージ図である。図１２（１）は、図６（ａ）に示す入金処理において識別部２０によって取得された記番号情報の例である。紙幣における左側の記番号と右側の記番号とで、数字部分の３桁目の読み取り結果が異なっているため、統合結果では数字部分の３桁目が「＊」（不読）になっている。一方、図１２（２）は、図６（ｂ）に示す収納処理において識別部２０によって取得された記番号情報の例である。紙幣における左側の記番号と右側の記番号とで、最後の英字の読み取り結果が異なっているため、統合結果では最後の英字が「＊」（不読）になっている。
【００７７】
このような場合に、図１２（３）に示すように、２回の読み取り結果を合わせて、記番号のデータを確定させればよい。ここでは、入金処理における左右記番号の読み取りデータと、収納処理における左右記番号の読み取りデータとを用いて、多数決で、記番号を確定させている。すなわち、数字部分の３桁目は「３」、最後の英字は「Ｃ」と確定させている。なお、記番号のデータの確定方法はこれに限られるものではなく、例えば、特定の文字だけ多数決を用いてもよいし、不読が１つでもあれば不読としてもよい。
【００７８】
＜他の構成＞
（その１）
上の実施形態は、紙幣が収納されたカセットが装填されるＡＴＭや両替機等にも適用可能である。この場合、紙幣が収納されるカセットに、データを記憶可能な記憶手段が付されているのが好ましい。この場合、カセットに紙幣を収納する際に、上の実施形態で説明したような紙幣の方向情報を含む収納紙幣データを生成して、記憶手段に記憶させる。そして、カセットが装置に装填されたとき、その記憶手段から装置の記憶部に、収納紙幣データが転送されるようにすればよい。
【００７９】
（その２）
上の実施形態では、識別部２０は、搬送されるバラ紙幣の記番号情報および方向情報の両方を取得するものとし、識別部６２は、搬送される束紙幣の最下位紙幣の記番号情報および方向情報の両方を取得するものとした。ただし、記番号情報を取得するセンサと、方向情報を取得するセンサとは、単一の部品であってもよいし、別部品であってもよい。
【００８０】
（その３）
バラ紙幣の収納部は、テープ式収納部であってもよい。
【００８１】
（その４）
上の実施形態では、紙幣処理機１０および硬貨処理機１１０を備えた貨幣処理装置１を例にとって説明したが、この他にも、硬貨処理機能を有しない紙幣処理装置であっても、本開示はもちろん適用可能である。また、紙幣処理機１０はバラ紙幣処理機能と束紙幣処理機能の両方を有しているものとしたが、バラ紙幣処理と束紙幣処理のいずれか一方の機能を有する紙幣処理装置であっても、本開示は適用可能である。
【００８２】
（その５）
上の実施形態では、紙幣を判定処理の対象としたが、小切手や商品券等の有価媒体を対象として、本開示を適用してもよい。すなわち、有価媒体の収納／払出処理を行う装置において、上の実施形態と同様に、方向情報を用いて有価媒体に関する異常の有無を判定すればよい。
【００８３】
（その６）
上の実施形態では、紙幣を判定処理の対象としたが、硬貨を対象として、本開示を適用してもよい。すなわち、硬貨処理装置において、対象となる硬貨について、搬送方向に対する向きや表裏が一意に定まり、かつ、これらが識別可能である場合には、上の実施形態と同様に、方向情報を用いて硬貨に対する異常の有無を判定すればよい。すなわち、本開示では、貨幣の方向情報とは、当該貨幣の搬送方向に対する向き、および、当該貨幣の表裏のうち、少なくともいずれか一方を含む情報である。
【符号の説明】
【００８４】
１  貨幣処理装置
１８  搬送部
２０  識別部（方向情報取得部、固有番号情報取得部）
２４  バラ紙幣投出部
２６  出金リジェクト部（異常貨幣保持部）
３４  金種別バラ紙幣収納部（収納部）
４８  帯封紙幣投出部
６０  帯封紙幣搬送部
６２  識別部（方向情報取得部、固有番号情報取得部）
７０  帯封紙幣収納部（収納部）
３００  制御部
３１０  記憶部
【図１】
2019049791.tif 000003
【図２】
2019049791.tif 000004
【図３】
2019049791.tif 000005
【図４】
2019049791.tif 000006
【図５】
2019049791.tif 000007
【図６】
2019049791.tif 000008
【図７】
2019049791.tif 000009
【図８】
2019049791.tif 000010
【図９】
2019049791.tif 000011
【図１０】
2019049791.tif 000012
【図１１】
2019049791.tif 000013
【図１２】
2019049791.tif 000014